(57)【要約】【課題】同一の装置で、ホログラムディスクの情報記録領域と、光ディスクの情報記録領域の両者に情報を記録／再生する光情報記録／再生装置を提供する。【解決手段】装着された光ディスク１００Ａを駆動する光ディスク駆動部１０と、装着されたホログラムディスク１００Ｂを駆動するホログラムディスク駆動部２０と、光ディスク１００Ａ及びホログラムディスク１００Ｂのいずれが装着されたかを判別するディスク判別手段５１と、ディスク判別手段５１により、光ディスク１００Ａであると判別された際に光ディスク駆動部１０を選択し、ホログラムディスク１００Ｂであると判別された際にホログラムディスク駆動部２０を選択するディスク駆動部選択手段５２と、ディスク駆動部選択手段５２によって選択されたディスク駆動部を駆動するディスク駆動部駆動手段を備えてなる光情報記録／再生装置１である。【選択図】図１
2009289350.tif 000002
【特許請求の範囲】
【請求項１】
装着した光情報記録媒体の情報記録領域に情報の記録を行う及び／または当該情報記録領域に記録された情報を再生する光情報記録／再生装置であって、
前記光情報記録媒体が、回転時に情報の記録及び／または再生を行う光ディスクと、ホログラフィを利用して情報の記録／再生を行うホログラムディスクであり、
前記装着された光ディスクを駆動する光ディスク駆動部と、
前記装着されたホログラムディスクを駆動するホログラムディスク駆動部と、
前記装着された光情報記録媒体が、前記光ディスク及びホログラムディスクのいずれであるのかを判別するディスク判別手段と、
前記ディスク判別手段により、前記光情報記録媒体が前記光ディスクであると判別された際に前記光ディスク駆動部を選択し、前記光情報記録媒体が前記ホログラムディスクであると判別された際に前記ホログラムディスク駆動部を選択するディスク駆動部選択手段と、
前記ディスク駆動部選択手段によって選択されたディスク駆動部を駆動するディスク駆動部駆動手段と、
を備えてなる光情報記録／再生装置。
【請求項２】
前記ホログラムディスクの情報記録領域及び光ディスクの情報記録領域の両方に、情報の記録を行う及び／または当該両者に記録された情報を再生する光ピックアップをさらに備え、
前記光ディスク駆動部は、光ディスク駆動モータと、当該光ディスク駆動モータの回転軸に配設され且つ前記光ディスク及びホログラムディスクの両者を各々装着して保持可能なディスク保持部と、を有してなり、
前記ホログラムディスク駆動部は、ホログラムディスク駆動モータと、当該ホログラムディスク駆動モータの回転軸に配設され且つ前記ディスク保持部に装着されたホログラムディスクに接触して該ホログラムディスクを回転させる回転付与部と、を有してなる請求項１記載の光情報記録／再生装置。
【請求項３】
前記回転付与部は、前記ディスク保持部に保持されたホログラムディスクに形成されている中心穴よりも外周側に接触する請求項２記載の光情報記録／再生装置。
【請求項４】
前記回転付与部は、前記ディスク保持部に装着されたホログラムディスクの記録再生時にレーザ光を入射する面とは反対側の面に接触して回転することで、前記ホログラムディスクを回転させる第１のローラを有してなる請求項２または請求項３記載の光情報記録／再生装置。
【請求項５】
前記回転付与部は、前記ディスク保持部に装着されたホログラムディスクの情報記録領域が形成されている面に接触して回転することで、前記ホログラムディスクを回転させる第２のローラをさらに有してなり、当該第２のローラは、前記第１のローラと共に前記ホログラムディスクを挟んで回転する請求項４記載の光情報記録／再生装置。
【請求項６】
前記ディスク保持部に装着されたホログラムディスクに対し前記回転付与部を相対的に移動させる第１の移動部をさらに備え、
前記第１の移動部は、前記光ピックアップが前記ホログラムディスクの外周側から中心に向けて相対的に移動した際に、前記回転付与部を前記ホログラムディスクの外周側から中心に向けて相対的に移動させ、前記光ピックアップが前記ホログラムディスクの中心側から外周に向けて相対的に移動した際に、前記回転付与部を前記ホログラムディスクの中心側から外周に向けて相対的に移動させる請求項２ないし請求項５のいずれか一項に記載の光情報記録／再生装置。
【請求項７】
前記第１の移動部は、前記回転付与部の前記ホログラムディスクの中心からの距離が、前記ホログラムディスクの中心から前記光ピックアップの前記ホログラムディスクに対する光放射位置までの距離と略同等になるよう、前記光ピックアップの前記ホログラムディスクに対する相対的な移動に応じて前記回転付与部を前記ホログラムディスクに対し相対的に移動させる請求項６記載の光情報記録／再生装置。
【請求項８】
前記第１の移動部は、前記回転付与部を前記ホログラムディスク駆動モータと共に、前記ホログラムディスクに対し相対的に移動させる請求項６または請求項７記載の光情報記録／再生装置。
【請求項９】
前記回転付与部は、前記ディスク保持部に保持されたホログラムディスクの外周端に接触する請求項２記載の光情報記録／再生装置。
【請求項１０】
前記ホログラムディスクの情報記録領域に情報の記録を行う及び／または当該情報記録領域に記録された情報を再生する際、前記回転付与部を当該ホログラムディスクに接触させ、前記ホログラムディスクの情報記録領域に情報の記録を行なわない及び／または当該情報記録領域に記録された情報を再生しない際、前記回転付与部を当該ホログラムディスクと接触しない位置に退避させる第２の移動部をさらに備えた請求項２ないし請求項９のいずれか一項に記載の光情報記録／再生装置。
【発明の詳細な説明】
【技術分野】
【０００１】
本発明は、回転時に情報の記録／再生を行うＣＤ（Compact Disc）、ＤＶＤ（Digital Versatile Disc）、ブルーレイディスク（Blue-ray Disc:以下、「ＢＤ」という）等に代表される光ディスクと、ホログラフィを利用して情報の記録／再生を行うホログラムディスクの両者に対し、情報の記録／再生を行う光情報記録／再生装置に関する。
【背景技術】
【０００２】
従来から、ＣＤ、ＤＶＤ、ＢＤ等に代表される光ディスクの情報記録領域に情報の記録を行う、あるいは当該情報記録領域に記録された情報の再生を行う装置として光ディスク装置が使用されている。この光ディスク装置では、通常、光ディスク駆動モータ（例えば、ＤＣモータ等）によって光ディスクを回転駆動させ、この回転駆動された光ディスクの情報記録領域に対し、光ピックアップにより、情報の記録／再生を行っている。
【０００３】
このような光情報記録／再生装置として、例えば、装置本体のベースに固定されたシャフトと、該シャフトの一端に回動可能に設けられ、光ディスクの内周縁部が嵌合される溝部が設けられたハブ台と、該ハブ台に載置された光ディスクの外周に接し、その回転動作により光ディスクを回転駆動するローラと、該ローラを回転駆動するモータとを具備したものが紹介されている。（例えば、特許文献１参照）。
【０００４】
また、光ディスクに情報を記録する及び／または光ディスクに記録された情報を再生するヘッド手段と、当該ヘッド手段の近傍に回転可能に形成され、前記光ディスクの一部に当接して当該光ディスクを回転駆動する回転体と、当該回転体を略一定回転速度で回転駆動する駆動手段とを備え、光ディスクの内周及び外周ともに所定の線速度で回転駆動することができるようにした光情報記録／再生装置が紹介されている。（例えば、特許文献２参照）。
【０００５】
そしてまた、光ディスクの外周縁部を挟持し、同心回転自在にクランプするディスククランプ機構と、当該ディスククランプ機構がクランプした光ディスクを、クランプ箇所近傍に交流磁界を作用させて回転駆動するモータとを具備する光情報記録／再生装置が紹介されている。（例えば、特許文献３参照）。
【特許文献１】特開平７−２７２３９５号公報
【特許文献２】特開平８−２７９２４３号公報
【特許文献３】特開２０００−２３５７５３号公報
【発明の開示】
【発明が解決しようとする課題】
【０００６】
近年では、ホログラフィを利用してデジタル情報を記録するホログラム記録技術が注目を集めている。このホログラム記録技術では、１つのホログラムで２次元的な情報を同時に記録／再生することができ、また同じ場所に複数のページデータを重ね書きすることができるため、大容量かつ高速な情報の記録再生に有効である。ホログラムを利用した光情報記録／再生装置においては、上位互換の観点から、既存の光ディスクも同一の装置で記録または再生できることが望ましい。
【０００７】
しかしながら、前述した特許文献１〜３は、ホログラムディスクと既存の光ディスクの両者に対し、情報の記録／再生を行うことについては、何ら言及されていない。
【０００８】
本発明は、このような事情に鑑みなされたものであり、同一の装置で、ホログラムディスクの情報記録領域と、ＢＤ、ＤＶＤ、ＣＤ等に代表される既存の光ディスクの情報記録領域の両者に情報を記録し、及び／または当該両者の情報記録領域に記録された情報を再生することが可能な光情報記録／再生装置を提供することを目的とする。
【課題を解決するための手段】
【０００９】
この目的を達成するため本発明は、装着した光情報記録媒体の情報記録領域に情報の記録を行う及び／または当該情報記録領域に記録された情報を再生する光情報記録／再生装置であって、前記光情報記録媒体が、回転時に情報の記録及び／または再生を行う光ディスクと、ホログラフィを利用して情報の記録／再生を行うホログラムディスクであり、前記装着された光ディスクを駆動する光ディスク駆動部と、前記装着されたホログラムディスクを駆動するホログラムディスク駆動部と、前記装着された光情報記録媒体が、前記光ディスク及びホログラムディスクのいずれであるのかを判別するディスク判別手段と、前記ディスク判別手段により、前記光情報記録媒体が前記光ディスクであると判別された際に前記光ディスク駆動部を選択し、前記光情報記録媒体が前記ホログラムディスクであると判別された際に前記ホログラムディスク駆動部を選択するディスク駆動部選択手段と、前記ディスク駆動部選択手段によって選択されたディスク駆動部を駆動するディスク駆動部駆動手段とを備えてなる光情報記録／再生装置を提供するものである。
【００１０】
なお、本発明では、ホログラムディスク以外の従来の光ディスクを単に「光ディスク」と呼称する。
【発明の効果】
【００１１】
本発明にかかる光情報記録／再生装置は、ホログラムディスクの情報記録領域と、既存の光ディスクの情報記録領域の両者に情報を記録し、及び／または当該両者の情報記録領域に記録された情報を再生することができる。
【発明を実施するための最良の形態】
【００１２】
次に、本発明の好適な実施の形態にかかる光情報記録／再生装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１３】
図１は、本発明の実施の形態にかかる光情報記録／再生装置の外観及び内部構成の概略を示す構成図であって、ホログラムディスクまたは光ディスクが装着されている状態を示す図、図２は、図１に示す光情報記録／再生装置の外観の概略を示す側面図、図３は、図２に示す光情報記録／再生装置にホログラムディスクが装着され、このホログラムディスクに、光情報記録／再生装置の構成要素である回転付与部が接触した状態の概略を示す側面図、図４は、図３に示す状態から、光ピックアップ及び光情報記録／再生装置の構成要素であるホログラムディスク駆動部をホログラムディスクの中心に向けて移動させた状態の概略を示す側面図、図５は、図４に示す光ピックアップ及びホログラムディスク駆動部がホログラムディスクに対し移動する構成の概略を示す平面図である。
【００１４】
なお、本実施の形態では、光情報記録／再生装置にホログラムディスクまたは光ディスクが装着された際に、情報記録領域が位置する方向を「下」、この方向の反対側を「上」として説明する。また、前記各図では、説明を判り易くするため、各部材の厚さやサイズ、拡大・縮小率等は、実際のものとは一致させずに記載した。そしてまた、本実施の形態では、ＢＤ、ＤＶＤ、ＣＤ等に代表され、回転時に情報を記録及び／または再生される媒体を「光ディスク」と称し、ホログラフィを利用して情報を記録及び／または再生される媒体を「ホログラムディスク」と称して説明する。
【００１５】
図１〜図５に示すように、本実施の形態にかかる光情報記録／再生装置１は、装着された光ディスク１００Ａを駆動する光ディスク駆動部１０と、装着されたホログラムディスク１００Ｂを駆動するホログラムディスク駆動部２０と、ホログラムディスク駆動部２０を移動させる第１の移動部４１及び第２の移動部４２と、光ディスク１００Ａ及びホログラムディスク１００Ｂの各々にレーザ光を導入し、情報の記録／再生を行う光ピックアップ３０と、これらを制御する制御手段５０と、を備えている。
【００１６】
光ディスク駆動部１０は、例えば、装着された光ディスク１００Ａを駆動する光ディスク駆動モータ１１と、光ディスク駆動モータ１１の回転軸１２に配設され且つ光ディスク１００Ａ及びホログラムディスク１００Ｂの両者を各々装着して保持可能なディスク保持部１３を有している。そして、この光ディスク駆動部１０には、制御手段５０に接続され、制御手段５０から受信した信号に応じて光ディスク駆動モータ１１を駆動させる光ディスク駆動部駆動手段６１が接続されている。なお、本実施の形態では、光ディスク駆動モータ１１として、ＤＣブラシレスモータを使用した。
【００１７】
ディスク保持部１３には、図２〜図５に示すように、光ディスク１００Ａの中心穴及びホログラムディスク１００Ｂの中心穴に挿入され、光ディスク１００Ａ及びホログラムディスク１００Ｂの各々の中心穴を確定する縁部に着脱可能に係合する係合爪１４（本実施の形態では、等間隔に３個配置）が設けられている。そして、光ディスク１００Ａ及びホログラムディスク１００Ｂは、ディスク保持部１３に装着された際に、係合爪１４によって確実にチャッキングされる。
【００１８】
ホログラムディスク駆動部２０は、ディスク保持部１３に装着されたホログラムディスク１００Ｂを駆動するホログラムディスク駆動モータ２１と、ホログラムディスク駆動モータ２１の回転軸２２に配設され且つディスク保持部１３に装着されたホログラムディスク１００Ｂに接触してホログラムディスク１００Ｂを回転させる回転付与部２５と、を有している。そして、このホログラムディスク駆動部２０には、制御手段５０に接続され、制御手段５０から受信した信号に応じてホログラムディスク駆動モータ２１を駆動させるホログラムディスク駆動部駆動手段６２が接続されている。なお、本実施の形態では、ホログラムディスク駆動モータ２１として、ステッピングモータを使用した。
【００１９】
回転付与部２５は、回転軸２２の先端に設けられ、ホログラムディスク１００Ｂの、光ピックアップ３０がレーザ光を入射させる面（下面）に接触して回転する第１のローラ２６と、回転軸２２に連結され且つ回転軸２２の回転に同期して回転する回転軸２３の先端に設けられ、ホログラムディスク１００Ｂの、光ピックアップ３０がレーザ光を入射させる面とは反対側の面（上面）に接触して回転する第２のローラ２７を有している。これら第１のローラ２６と第２のローラ２７は、ホログラムディスク１００Ｂを挟んで対向した位置に配設されている。
【００２０】
また、ホログラムディスク駆動部２０には、ディスク保持部１３に装着されたホログラムディスク１００Ｂの径方向にホログラムディスク駆動部２０を移動させる第１の移動部４１が取付けられている。この第１の移動部４１は、第１のローラ２６と第２のローラ２７が、ホログラムディスク１００Ｂの中心穴１０１Ｂの外周からホログラムディスク１００Ｂの外周までの領域を、ホログラムディスク１００Ｂの径方向に移動するよう、ホログラムディスク駆動部２０を移動させるものであり、ホログラムディスク駆動部２０を載置する載置台４６と、載置台４６をホログラムディスク１００Ｂの径方向に移動させる移動用モータ４７を有している。
【００２１】
載置台４６は、例えば、ディスク保持部１３に装着されたホログラムディスク１００Ｂの径方向に平行となるよう、光情報記録／再生装置１の図示しないシャーシ等に配設されたガイドレール４８Ａ及び４８Ｂ（図５参照）に移動可能に支持された構成とすることができる。ここで、ガイドレール４８Ａは、例えば、移動用モータ４７の回転軸を兼用してもよく、この場合、回転軸にねじ切りをしておき、載置台４６に回転軸に形成された雄ねじに螺合する雌ねじを形成し、回転軸（ガイドレール４８Ａ）を回転させることで、載置台４６を回転軸（ガイドレール４８Ａ）及びガイドレール４８Ｂに沿って移動させるようにしてもよい。なお、図５では、回転軸２３及び第２のローラ２７の記載が省略されているが、回転軸２３及び第２のローラ２７は、ホログラムディスク駆動モータ２１及び第１のローラ２６と同様に、ホログラムディスク１００Ｂの径方向に移動される。一方、移動用モータ４７には、制御手段５０に接続され、制御手段５０から受信した信号に応じて移動用モータ４７を駆動させる移動部駆動手段６３が接続されている。
【００２２】
そしてまた、ホログラムディスク駆動部２０には、第１のローラ２６及び第２のローラ２７を、ディスク保持部１３に装着されたホログラムディスク１００Ｂの下面及び上面に各々接触させる及び当該下面及び上面に接触している第１のローラ２６及び第２のローラ２７をこれらの面から各々退避させるよう、ホログラムディスク駆動部２０を上下方向に移動させる第２の移動部４２が取付けられている。第２の移動部４２は、ホログラムディスク駆動モータ２１及び第１のローラ２６を、ホログラムディスク１００Ｂの下面に対し上下方向に移動させる第１の昇降部４３と、回転軸２３及び第２のローラ２７をホログラムディスク１００Ｂの上面に対し上下方向に移動させる第２の昇降部４４を有している。そして、第１の昇降部４３及び第２の昇降部４４には、制御手段５０に接続され、制御手段５０から受信した信号に応じて第１の昇降部４３及び第２の昇降部４４を駆動させる移動部駆動手段６３が接続されている。
【００２３】
なお、ホログラムディスク駆動部２０は、ディスク保持部１３にディスクが装着されていない初期状態の時は、ディスク保持部１３へのディスク装着動作に干渉しない位置（以下、「初期位置」という）にあり、ディスク保持部１３にホログラムディスク１００Ｂが装着されるまで、この初期位置で待機している。また、本実施の形態では、ホログラムディスク駆動部２０は、光ピックアップ３０に対し、回転軸２２を中心として１８０度ずれた位置（すなわち、同一径上）に配設した。
【００２４】
光ピックアップ３０は、ディスク保持部１３に装着された光ディスク１００Ａ及びホログラムディスク１００Ｂの径方向に平行となるよう、光情報記録／再生装置１の図示しないシャーシ等に配設されたガイド軸３２Ａ及び３２Ｂ（図５参照）に沿って、移動可能となっており、ディスク保持部１３に装着された光ディスク１００Ａの情報記録領域及びホログラムディスク１００Ｂの情報記録領域に共通して情報を記録する、及び、記録された情報を再生するものである。この光ピックアップ３０は、図５に示す移動用モータ３１が駆動することによって、ガイド軸３２Ａ及び３２Ｂ（図５参照）に沿って移動する。この移動用モータ３１には、制御手段５０に接続され、制御手段５０から受信した信号に応じて移動用モータ３１を駆動させる光ピックアップ駆動手段６４が接続されている。
【００２５】
光ピックアップ３０が光ディスク１００Ａに記録を行う場合には、ディスク保持部１３に装着された光ディスク１００Ａの情報記録領域に信号光を放射（出射）して情報を記録する。記録する情報信号は、制御手段５０に接続された信号生成手段６５を介して光ピックアップ３０に送信され、信号光は、対物レンズ３５（絞り込みレンズ）によって光ディスク１００Ａの情報記録領域に光スポットとして集光され情報が記録される。また、光ディスク１００Ａに記録された情報を再生する際は、光ディスク１００Ａからの反射光を光ピックアップ３０で電気信号に変換し、この電気信号を、制御手段５０に接続された図示しない信号処理回路に送信することでなされる。
【００２６】
一方、光ピックアップ３０が、ディスク保持部１３に装着されたホログラムディスク１００Ｂに記録を行う場合、参照光と信号光をホログラムディスク１００Ｂの情報記録領域に放射してホログラフィを利用してデジタル情報を記録する。この時、記録される情報信号は、制御手段５０によって信号生成手段６５を介して光ピックアップ３０内の図示しない空間光変調器に送り込まれ、信号光は、空間光変調器によって変調される。ホログラムディスク１００Ｂに記録した情報を再生する場合は、光ピックアップ３０から放射された参照光の位相共役光（入力光と同一の波面を保ちながら逆方向に進む光波）を図示しない位相共役光学系によって生成する。この位相共役光によって再生される再生光を光ピックアップ３０内の図示しない光検出器によって検出し、制御手段５０に接続された図示しない信号処理回路によって信号を再生する。
【００２７】
以上の記録及び再生をホログラムディスク一周で行うために、回転付与部２５によりホログラムディスク１００Ｂを回転させる。ホログラムディスク１００Ｂに情報を安定して記録するために十分な光エネルギーを得るため、情報の記録、再生を行う際、ホログラムディスク１００Ｂは静止していることが望ましい。したがって、本実施の形態では、この目的のために、ホログラムディスク１００Ｂの回転-静止を安定して動作できるよう、回転付与部２５の回転をステッピングモータにより行っている。
【００２８】
制御手段５０は、図１に示すように、光ディスク駆動部駆動手段６１、ホログラムディスク駆動部駆動手段６２、移動部駆動手段６３、光ピックアップ駆動手段６４、信号生成手段６５、及び光情報記録／再生装置１を動作させるために必要な図示しない動作手段に接続され、これらを制御する。この制御手段５０は、ディスク保持部１３に装着されたディスク（光情報記録媒体）が、光ディスク１００Ａ及びホログラムディスク１００Ｂのいずれであるのかを判別するディスク判別手段５１と、ディスク判別手段５１により、ディスク保持部１３に装着されたディスク（光情報記録媒体）が光ディスク１００Ａであると判別された際に光ディスク駆動部１０の光ディスク駆動モータ１１を選択し、光情報記録媒体がホログラムディスク１００Ｂであると判別された際にホログラムディスク駆動部２０のホログラムディスク駆動モータ２１を選択するディスク駆動部選択手段５２を備えている。
【００２９】
次に、本実施の形態にかかる光情報記録／再生装置１の具体的動作について図面を参照して説明する。図６は、図１に示す光情報記録／再生装置にかかる記録／再生処理を示すフローチャートである。
【００３０】
先ず、ステップＳＰ１０１では、制御手段５０によって、ディスクがディスク保持部１３に装着されたか否かを判断する。光情報記録／再生装置１の図示しないディスク挿入口からディスクが挿入されると、ディスク保持部１３の係合爪１４によって、このディスクの中心穴を確定する縁部をチャッキングする。この動作により、制御手段５０によって、ディスクがディスク保持部１３に装着された（ステップＳＰ１０１：ＹＥＳ）ことが認識され、ステップＳＰ１０２に進む。一方、ディスクがディスク保持部１３に装着されていない（ステップＳＰ１０１：ＮＯ）場合は、制御手段５０が、ディスクがディスク保持部１３に装着されたと認識するまで待機する。あるいは、ピックアップ３０によりディスクにレーザ光を照射し、反射光があるか否かによってディスクが装着されているか否かを判断してもよい。この時、同時に反射光によってディスクの種別を判断してもよい。
【００３１】
次に、ステップＳＰ１０２では、ディスク判別手段５１により、ディスク保持部１３に装着されたディスクが光ディスク１００Ａであるか、ホログラムディスク１００Ｂであるかを判別する。ディスク保持部１３に装着されたディスクが光ディスク１００Ａである（ステップＳＰ１０２：ＹＥＳ）場合、ステップＳＰ１０３に進み、ディスク駆動部選択手段５２によって光ディスク駆動モータ１１を選択し、次いで、ステップＳＰ１０４に進み、光ディスク駆動部駆動手段６１によって光ディスク駆動モータ１１を駆動させる。この時、第１のローラ２６及び第２のローラ２７は、初期位置に待機しており、光ディスク１００Ａには接触していない。したがって、光ディスク１００Ａの回転に影響を与えることがない。一方、ディスク保持部１３に装着されたディスクがホログラムディスク１００Ｂである（ステップＳＰ１０２：ＮＯ）場合、ステップＳＰ１０５に進む。
【００３２】
ステップＳＰ１０５では、ディスク駆動部選択手段５２によってホログラムディスク駆動モータ２１を選択し、ステップＳＰ１０６に進む。この時、光ピックアップ駆動手段６４によって移動用モータ３１が駆動され、光ピックアップ３０は、ホログラムディスク１００Ｂに対する情報記録／再生位置（例えば、図７に示す点Ｘを通る円の半径ｒの位置）に移動する。また、ステップＳＰ１０６では、移動部駆動手段６３によって第１の移動部４１の移動用モータ４７が駆動され、ホログラムディスク駆動部２０は、中心Ｏを挟んだ反対側（中心Oと点Ｘを通る線上）であって、図７に示す点Ｙを通る円の半径ｒの位置に第１のローラ２６及び第２のローラ２７が位置するように移動する。次に、移動部駆動手段６３によって、第１の昇降部４３がホログラムディスク１００Ｂの下面に接触するまで移動すると共に、第２の昇降部４４がホログラムディスク１００Ｂの上面に接触するまで移動する。（図３参照）。
【００３３】
このように、ホログラムディスク駆動部２０は、移動部駆動手段６３によって駆動された移動用モータ４７により、中心Ｏから第１のローラ２６及び第２のローラ２７までの距離（すなわち、中心Ｏを基準とした第１のローラ２６及び第２のローラ２７の位置）が、中心Ｏから光ピックアップ３０の光放射位置（光スポットの位置）までの距離と略同等になるよう、光ピックアップ３０の移動に応じて移動する。
【００３４】
ここで、ホログラムディスク１００Ｂの情報記録領域に情報の記録を行う場合、あるいは情報記録領域に記録されている情報の再生を行う場合、制御手段５０によりホログラムディスク駆動部駆動手段６２を介してホログラムディスク駆動モータ２１の回転制御を行うことで、ホログラムディスク１００Ｂの回転制御を行う。この時、光ピックアップ３０から放射される光スポットのホログラムディスク１００Ｂ上における移動距離は、光ピックアップ３０の位置によって異なる。例えば、図８に示すように、光ピックアップ３０が点Ｘ1（図８に示す点Ｘ1を通る円の半径ｒ1の位置）にある時に、ホログラムディスク１００Ｂが角度θで回転した場合、光ピックアップ３０から放射される光スポットの移動距離Ｌ1は、
Ｌ1＝２πｒ1（θ／３６０°）
である。また、図８に示すように、光ピックアップ３０が点Ｘ2（図８に示す点Ｘ2を通る円の半径ｒ2の位置）にある時に、ホログラムディスク１００Ｂが角度θで回転した場合、光ピックアップ３０から放射される光スポットの移動距離Ｌ2は、
Ｌ2＝２πｒ2（θ／３６０°）
である。したがって、光スポットのホログラムディスク１００Ｂ上における移動距離は、光ピックアップ３０の位置の違いに対し、２π（θ／３６０°）倍となる。
【００３５】
そこで、本実施の形態にかかる光情報記録／再生装置１では、前述したように、光ピックアップ３０の移動に応じて第１のローラ２６及び第２のローラ２７の位置も移動させ、中心Ｏから光スポットまでの距離（図７に示す点Ｘを通る円の半径ｒ）と、中心Ｏから第１のローラ２６及び第２のローラ２７までの距離（図７に示す点Ｙを通る円の半径ｒ）とが略同一となるようにしている。したがって、例えば、光ピックアップ３０が中心Ｏに近づく方向に移動した際に、第１のローラ２６及び第２のローラ２７を中心Ｏに近づく方向に移動させれば、ホログラムディスク駆動モータ２１の回転に対して、ホログラムディスク１００Ｂの回転角が小さくなる。
【００３６】
具体的には、例えば、第１のローラ２６及び第２のローラ２７が図７に示す点Ｙに位置しており、第１のローラ２６及び第２のローラ２７の半径がＲである場合、第１のローラ２６及び第２のローラ２７が回転角φで回転すると、第１のローラ２６及び第２のローラ２７がホログラムディスク１００Ｂ上を転がった距離Ｌ3と、ホログラムディスク１００Ｂの回転角θとの関係は、
Ｌ3＝２πＲ（φ／３６０°）
θ＝（Ｌ3／２πｒ）×３６０°＝φＲ／ｒ
となる。光スポットが中心Ｏからｒ1の位置にあるとき、ホログラムディスク１００Ｂの回転角θに対する光スポットのホログラムディスク１００Ｂ上の移動距離Ｌ1は、
Ｌ1＝２πｒ1（θ／３６０°）＝２πｒ1（（φＲ／ｒ）／３６０°）
となる。これより、光スポットの位置が移動した場合、その移動に応じて第１のローラ２６及び第２のローラ２７を移動させれば、同じステップ角φに対して、光スポットの位置に関わらず、一定の移動距離Ｌ1を得ることができる。したがって、ホログラムディスク１００Ｂの情報記録領域に対する情報の記録／再生を高精度で行うことができる。
【００３７】
次に、ステップＳＰ１０７に進み、ステップＳＰ１０４に進み、ホログラムディスク駆動部駆動手段６２によってホログラムディスク駆動モータ２１を駆動させ、第１のローラ２６及び第２のローラ２７を回転させる。この時、第１のローラ２６及び第２のローラ２７は、ホログラムディスク１００Ｂの下面及び上面に各々接触しながら回転するため、この回転力によってホログラムディスク１００Ｂが回転する。また、この時、光ディスク駆動モータ１１は駆動していない（例えば、無通電の状態）ため、ホログラムディスク１００Ｂの回転軸として利用することができる。また、ホログラムディスク１００Ｂは、ディスク保持部１３の係合爪１４によって確実にチャッキングされていることに加え、第１のローラ２６及び第２のローラ２７によって挟み込まれることにより、より安定した状態で保持される。したがって、ホログラムディスク１００Ｂの反りや回転による触れを確実に抑制することができ、ホログラムディスク１００Ｂを任意の角度で回転させて固定する動作を高精度で行うことができる。
【００３８】
なお、ホログラムディスク駆動部２０が、ある位置から、光ピックアップ３０の移動に伴って他の位置へ移動する際、ホログラムディスク駆動部２０は、第１のローラ２６及び第２のローラ２７をホログラムディスク１００Ｂの表面から離れた位置に退避させて移動してもよく、第１のローラ２６及び第２のローラ２７がホログラムディスク１００Ｂ上を転がりながら移動してもよい。
【００３９】
次に、ステップＳＰ１０８に進み、ホログラムディスク１００Ｂの情報記録領域に情報を記録する場合（ステップＳＰ１０８：ＹＥＳ）は、ステップＳＰ１０９に進み、情報の記録を行う。一方、ホログラムディスク１００Ｂの情報記録領域に記録された情報を再生する場合（ステップＳＰ１０８：ＮＯ）は、ステップＳＰ１１０に進み、情報の再生を行う。
【００４０】
なお、本実施の形態では、ホログラムディスク駆動部２０を、光ピックアップ３０に対し、中心Ｏを挟んだ同一線上に配設した場合について説明したが、これに限らず、ホログラムディスク駆動部２０は、光ピックアップ３０による情報の記録／再生等、他の部品の機能を損なわない位置であれば、例えば、図７に点Ｚ1で示す位置や、図７に点Ｚ2で示す位置等、任意の位置に配設することができる。また、ホログラムディスク駆動部２０は、光ピックアップ３０と共通の半径上に配設することもできる。この場合、ホログラムディスク駆動部２０は、光ピックアップ３０と同じ移動用モータ３１によって移動させることができる。また、本実施の形態では、光ピックアップ３０の移動に伴って、ホログラムディスク駆動部２０を移動させる場合について説明したが、これに限らず、ホログラムディスク駆動部２０は、必ずしも光ピックアップ３０の移動に伴って移動しなくてもよい。
【００４１】
また、本実施の形態では、ディスク保持部１３に装着されたホログラムディスク１００Ｂに対し、光ピックアップ３０と、ホログラムディスク駆動部２０を移動させる場合について説明したが、これに限らず、例えば、ホログラムディスク駆動部２０が、光ピックアップ３０と共通の半径上に配設されている場合は、光ピックアップ３０及びホログラムディスク駆動部２０に対し、ホログラムディスク１００Ｂを移動させてもよい。
【００４２】
そしてまた、本実施の形態では、ホログラムディスク駆動部２０全体を移動させる場合について説明したが、これに限らず、例えば、ホログラムディスク駆動モータ２１の位置は固定しておき、回転軸２２及び２３を伸縮可能に構成し、回転軸２２及び２３を任意に伸縮させることで、回転軸２２及び２３の長さを調整し、第１のローラ２６及び第２のローラ２７の位置を移動させてもよい。
【００４３】
そしてまた、本実施の形態では、第１のローラ２６及び第２のローラ２７によって、ホログラムディスク１００Ｂを挟んで回転させる場合について説明したが、これに限らず、例えば、第１のローラ２６または第２のローラ２７のホログラムディスク１００Ｂに対する接触圧力を調整することにより、第１のローラ２６または第２のローラ２７のいずれか一方のみでホログラムディスク１００Ｂを回転させるようにしてもよい。なお、第２のローラ２７のみでホログラムディスク１００Ｂを回転させる場合は、図９に示すように、第２のローラ２７を、ホログラムディスク駆動モータ２１の回転軸２２に直接配設することができる。また、図９に示す構成の場合、ホログラムディスク１００Ｂは、ディスク保持部１３によって、下方から上方に向けて支持され、第２のローラ２７によって、上方から下方に向けて押圧されるため、より安定した回転を行うことが可能となる。この場合、光ピックアップ３０がホログラムディスク１００Ｂにレーザ光を入射させる面には、いずれのローラも接触しないため、情報の記録／再生を更に長期間にわたって精度良く行うことができる。
【００４４】
また、本発明にかかる光情報記録／再生装置は、例えば、図１０に示すように、ホログラムディスク駆動モータ２１の回転軸２２に設けられたローラ２９を、ホログラムディスク１００Ｂの外周面に接触させることで、ホログラムディスク１００Ｂを回転させる構成としてもよい。この構成の場合、ホログラムディスク１００Ｂの、光ピックアップ３０がレーザ光を入射させる面には、いずれのローラも接触しないため、情報の記録／再生を更に長期間にわたって精度良く行うことができる。
【００４５】
さらにまた、本実施の形態では、ディスク保持部１３に形成されている係合爪１４によって、光ディスク１００Ａまたはホログラムディスク１００Ｂをチャッキングする場合について説明したが、これに限らず、例えば、ディスク保持部１３は、光ディスク１００Ａの中心穴１０１Ａまたはホログラムディスク１００Ｂの中心穴１０１Ｂに挿入される部分を、磁力を帯びた部材で構成し、光ディスク１００Ａまたはホログラムディスク１００Ｂを装着した後、前記磁力を帯びた部材に、光ディスク１００Ａまたはホログラムディスク１００Ｂの上から金属キャップを被せることで、光ディスク１００Ａまたはホログラムディスク１００Ｂをチャッキングしてもよい。
【００４６】
また、本実施の形態では、ディスク保持部１３に装着したディスクを回転させずに、ディスクの判別を行った場合について説明したが、これに限らず、ディスクを回転させることで、ディスクが保持している情報を読み取り、これによってディスクの判別を行う必要がある場合は、光ディスク駆動モータ１１を回転させてディスクの判別を行えばよい。
【００４７】
そしてまた、本実施の形態では、光ディスク駆動モータ１１として、ＤＣブラシレスモータを使用した場合について説明したが、これに限らず、光ディスク駆動モータ１１は、光ディスク１００Ａを回転させて情報の記録／再生を行う際に、通常使用されているモータであれば、特に限定されるものではない。また、本実施の形態では、ホログラムディスク駆動モータ２１として、ステッピングモータを使用した場合について説明したが、これに限らず、ホログラムディスク駆動モータ２１は、例えば、サーボモータ等、ホログラムディスク１００Ｂに対し情報の記録／再生を行う際に、通常使用されているモータであれば、特に限定されるものではない。
【図面の簡単な説明】
【００４８】
【図１】本発明の実施の形態にかかる光情報記録／再生装置の外観及び内部構成の概略を示す構成図であって、ホログラムディスクまたは光ディスクが装着されている状態を示す図である。
【図２】図１に示す光情報記録／再生装置の外観の概略を示す側面図である。
【図３】図２に示す光情報記録／再生装置にホログラムディスクが装着され、このホログラムディスクに、光情報記録／再生装置の構成要素である回転付与部が接触した状態の概略を示す側面図である。
【図４】図３に示す状態から、光ピックアップ及び光情報記録／再生装置の構成要素であるホログラムディスク駆動部をホログラムディスクの中心に向けて移動させた状態の概略を示す側面図である。
【図５】図４に示す光ピックアップ及びホログラムディスク駆動部がホログラムディスクに対し移動する構成の概略を示す平面図である。
【図６】図１に示す光情報記録／再生装置にかかる記録／再生処理を示すフローチャートである。
【図７】図１に示す光情報記録／再生装置の光ピックアップと、ホログラムディスク駆動部の、ホログラムディスクに対する位置を模式的に示す平面図である。
【図８】図１に示す光情報記録／再生装置の光ピックアップのホログラムディスクに対する位置を模式的に示す平面図である。
【図９】本発明の他の実施の形態にかかる光情報記録／再生装置の外観の概略を示す斜視図である。
【図１０】本発明の他の実施の形態にかかる光情報記録／再生装置の外観の概略を示す側面図である。
【符号の説明】
【００４９】
１…光情報記録／再生装置、  １０…光ディスク駆動部、  １１…光ディスク駆動モータ、  １３…ディスク保持部、  ２０…ホログラムディスク駆動部、  ２１…ホログラムディスク駆動モータ、  ２５…回転付与部、  ２６…第１のローラ、  ２７…第２のローラ、  ３０…光ピックアップ、  ３１…移動用モータ、  ４１…第１の移動部、  ４２…第２の移動部、  ５０…制御手段、  ５１…ディスク判別手段、  ５２…ディスク駆動部選択手段、  ６１…光ディスク駆動部駆動手段、  ６２…ホログラムディスク駆動部駆動手段、  １００Ａ…光ディスク、  １００Ｂ…ホログラムディスク
【図１】
2009289350.tif 000003
【図２】
2009289350.tif 000004
【図３】
2009289350.tif 000005
【図４】
2009289350.tif 000006
【図５】
2009289350.tif 000007
【図６】
2009289350.tif 000008
【図７】
2009289350.tif 000009
【図８】
2009289350.tif 000010
【図９】
2009289350.tif 000011
【図１０】
2009289350.tif 000012